(57)【要約】【課題】ストラップ取り付け用の穴及び、クレードルに装着するための保持凹部の構成スペースを有効に活用し、小型化を実現することができる携帯端末装置を提供する。【解決手段】筐体の表面に、前記筐体を保持する保持具を取り付けるための取り付け穴を有し、前記筐体をクレードルに乗せて保持するための保持凹部を有する携帯端末装置において、前記取り付け穴と、前記保持凹部が一体に形成された複合穴を備え、前記複合穴部の一部に少なくとも一つの段差部を備える。【選択図】図１
2007311980.tif 000002
【特許請求の範囲】
【請求項１】
筐体の表面に、前記筐体を保持する保持具を取り付けるための取り付け穴を有し、前記筐体をクレードルに乗せて保持するための保持凹部を有する携帯端末装置であって、前記取り付け穴と、前記保持凹部が一体に形成された複合穴を有することを特徴とする携帯端末装置。
【請求項２】
前記複合穴の一部に少なくとも一つの段差部を設けたことを特徴とする請求項１記載の携帯端末装置。
【発明の詳細な説明】
【技術分野】
【０００１】
本発明は、携帯電話機等の携帯端末装置に関し、特にストラップ等の保持具を取り付けるための取り付け穴と、筐体をクレードルに乗せて保持するための保持凹部を有するものに関する。
【背景技術】
【０００２】
従来、携帯電話機にストラップ等の保持具を取り付けるために筐体に形成された取り付け穴と、クレードル等に携帯電話機を乗せて保持するために筐体に形成された保持凹部は図１０に示すように構成されている。
【０００３】
図１０は従来の携帯電話機１Ｂの筐体２Ｂ表面に形成をされたストラップを取り付けるための取り付け穴３Ｂとクレードル５Ｂに筐体２Ｂが装着され保持するための保持凹部４Ｂを示す斜視図であり、背面側から見た図である。図１１は携帯電話機１Ｂをクレードル５Ｂに装着した状態を示す斜視図である
図１０において、ストラップを取り付けるための取り付け穴３Ｂは筐体２Ｂの上面と背面をつなぐ略L字状に貫通された穴として形成されている。また、携帯電話機１Ｂをクレードル５Ｂに装着し、筐体２Ｂを保持するための保持凹部４Ｂは筐体２Ｂの上面に形成されている。前記取り付け穴３Ｂと保持凹部４Ｂはそれぞれ独立した状態で形成されている。
【０００４】
図１１において携帯電話機１Ｂの筐体２Ｂ上面部に形成された保持凹部４Ｂにクレードル５Ｂに形成された可動ツメ５１Ｂが嵌り、筐体２Ｂを保持している。
【特許文献１】特開２００４−１９５１０１号公報
【特許文献２】特開２００２−１３５９８５号公報
【発明の開示】
【発明が解決しようとする課題】
【０００５】
しかしながら、前記従来の構成では、ストラップを取り付けるための取り付け穴と携帯電話機をクレードルに装着し、筐体を保持するための保持凹部が独立した状態で筐体に形成されていため、似通った穴や凹部が２個形成されているため、小型化を追求する携帯電話機において筐体のスペースを有効に活用できていないという課題を有していた。
【０００６】
本発明は前記従来の課題を解決するもので、筐体のスペースを有効活用し、小型化を図る携帯端末装置の提供を目的とする。
【０００７】
また、携帯端末装置にストラップを取り付けた状態でもクレードルに確実に装着できる携帯端末装置の提供を目的とする。
【課題を解決するための手段】
【０００８】
前記従来の課題を解決するために、本発明の携帯端末装置は、筐体の表面に、前記筐体を保持する保持具を取り付けるための取り付け穴を有し、前記筐体をクレードルに乗せて保持するための保持凹部を有する携帯端末装置であって、前記取り付け穴と、前記保持凹部が一体に形成された複合穴を有している。
この構成により、筐体へのストラップ等の保持具の取り付け機能と、筐体をクレードルに保持する保持機能の双方の機能を１ヶ所の複合凹部で実現することができ、筐体外部及び、内部のスペースを有効に活用することができ、携帯端末装置の小型化を図ることができる。
また、本発明の携帯端末装置は、前記複合穴の一部に少なくとも一つの段差部を設けた構成を有する。
この構成により、筐体にストラップを取り付けた状態でも、筐体をクレードルに確実に装着させることができる。
【発明の効果】
【０００９】
本発明によれば、筐体表面に形成されたストラップ等の保持具を取り付けるための取り付け穴と、筐体をクレードルに乗せて保持するための保持凹部を一体に形成することにより、筐体のスペースを有効に活用することができ、携帯端末装置の小型化に貢献できる。
また、前記複合穴の一部に少なくとも一つの段差部を設けることにより、携帯端末装置にストラップ等の保持具を取り付けた状態でも、携帯端末装置をクレードルに確実に装着させることができる。
【発明を実施するための最良の形態】
【００１０】
以下、本発明を実施するための最良の形態について、図面を参照しながら説明する。
【００１１】
（実施の形態１）
本発明の携帯端末装置の一例として、折り畳み型携帯電話機（以下携帯電話機とする）を例に上げて説明する。図１は本実施の形態における携帯電話機を示す斜視図である。図1において携帯電話機１は、第１筐体２と第２筐体３とに２分割されており、ヒンジ機構部４により回動自在に連結されて一体化されている。このとき、他の各種部材も組み合わされて内蔵されているが、ここでの図示及び、説明は省略する。図２は図１の上面から見た平面図である。図１及び、図２において第１筐体２の上面側には、略矩形状の保持凹部５１が形成されている。この保持凹部５１は後述するクレードル７に設けられた可動ツメ７２と嵌合し、携帯電話機１をクレードル７に保持する。保持凹部５１の中央部には、第１筐体２の背面側とつながる略L字状の貫通穴５２が形成されている。また、貫通穴５２は略矩形状の保持凹部５１に対し、第１筐体２の背面側に矩形状の段差（凹み）５３が設けられている。この時矩形状の段差５３は後述するストラップ６の基端部に取り付けられている固定紐６１の太さより大きい段差となっている。第１筐体２の背面側には第１筐体２の上面に形成された貫通穴５２とつながる貫通穴５４が形成され、貫通穴５２、５４の幅は第１筐体２に形成された矩形状の段差５３の幅と同じか又は小さい幅となっている。これら保持凹部５１及び貫通穴５２、５４、段差５３を総称して複合穴部５とする。
【００１２】
以上のように構成された携帯電話機１へのストラップ６の取り付け方法について説明する。図３は携帯電話機１とストラップ６が分解された斜視図を示す。図４は携帯電話機１にストラップ６を取り付ける方法を示す断面図である。図５は携帯電話機１にストラップ６をつけた状態を示す平面図である。図３に示すようにストラップ６の基端部にはループ状の固定紐６１が取り付けられている。このストラップ６を携帯電話機１への取り付け方として、図４に示すように携帯電話機1の第１筐体２の上面側に形成された貫通穴５２にストラップ６のループ上の固定紐６１を通し、第１筐体２の背面側の貫通穴５４から引き出す。次にストラップ６を固定紐６１のループの中に通し、引っ張ると第１筐体２に固定される。このときストラップ６は図５に示すように第１筐体２の上面側に形成された矩形状の段差５３内にストラップの固定紐６１が収まり、第１筐体２の背面側に位置する保持凹部５１の水平面５５よりも固定紐が出っ張らないように取り付いている。また、ストラップ６を動かしても、第１筐体２の背面側に形成された貫通穴５２の幅が、第１筐体２の上面部に形成された略矩形状の保持凹部５１の幅よりも小さいため、第１筐体２の上面側に位置する保持凹部５１の水平面５５にストラップ６の固定紐６１が乗り上げることもない。
【００１３】
尚、携帯電話機１へのストラップ６の取り付け方法はこれに限らず、第１筐体２の背面側に形成された貫通穴５４からストラップ６の固定紐６１を通して、第１筐体２に固定してもよい。固定方法は上記方法と同様のため省略する。
【００１４】
次に携帯電話機１にストラップ６を取り付けた状態でのクレードル７への装着及び装着状態について説明する。図６はストラップ６が取り付けられた携帯電話１とクレードル７を示す斜視図である。図６においてクレードル７の下方部には携帯電話機１の下方部をホールドする固定部７１が形成されている。またクレードル７の上方側には携帯電話機１の上面に形成された略矩形状の保持凹部５１に嵌合する可動ツメ７２が形成され、さらに携帯電話機１の背面部を受ける受け部７３が形成されている。クレードル７本体の中央部にかけて、ストラップ６を収納する収納穴７４が形成されている。携帯電話機１のクレードル７への装着方法としては、携帯電話機１の下方をクレードル７の固定部７１に嵌めこみ、その後、携帯電話機１を回転させるようにクレードル７に乗せ、ストラップ６をクレードル７の収納穴７４に収納し、携帯電話機１の上面側に形成された矩形上の保持凹部５１にクレードル７の可動ツメ７２を嵌合させる。
【００１５】
図7は携帯電話機１をクレードル７の装着した状態を示す縦断面図で、図８は図７における要部矢視図である。図７、図８に示すように、クレードル７の可動ツメ７２が第１筐体２の上面側に位置する保持凹部５１の水平面５５を保持している。このときストラップ６の固定紐６１は前述の通り、保持凹部５１の段差５３内に収まっているため、ストラップ６の固定紐６１がクレードル７の可動ツメ７２に干渉して携帯電話機１の保持が不十分になることは無く、確実に携帯電話機１をクレードル７に保持できる。
【００１６】
尚、前述した第１筐体に形成された複合穴部５はこの形状に限定されるものではなく、図９に示すように、保持凹部５１の段差５３と貫通穴５２、５４を２つに分割しても同様の効果を得ることができる。
【産業上の利用可能性】
【００１７】
本発明にかかる携帯端末装置は、ストラップ等の保持具を取り付けるための取り付け穴と、携帯端末装置をクレードルに装着し、保持するための保持凹部を一体にすることにより、筐体のスペースを有効に活用でき、携帯端末装置の小型化への貢献が可能になるので、携帯電話機等の携帯端末装置などに有用である。
【図面の簡単な説明】
【００１８】
【図１】本発明の実施の形態1おける携帯電話機を示す斜視図
【図２】携帯電話機を上面から見た平面図
【図３】携帯電話機とストラップを示す分解斜視図
【図４】携帯電話機にストラップの取り付けを示すＡ−Ａ断面図
【図５】携帯電話機にストラップを取り付けた状態を示す平面図
【図６】携帯電話機とクレードルを示す分解斜視図
【図７】クレードルに携帯電話を装着した状態を示す縦断面図
【図８】図７におけるＢ矢視図
【図９】複合穴部の段差部及び貫通穴を２つに分割した形状を示す斜視図
【図１０】従来の携帯電話機を示す斜視図
【図１１】従来の携帯電話機をクレードルに装着した状態を示す斜視図
【符号の説明】
【００１９】
１    携帯電話機
２    第１筐体
３    第２筐体
４    ヒンジ機構部
５    複合穴部
５１    保持凹部
５２    貫通穴
５３    段差
５４    貫通穴
５５    水平面
６    ストラップ
６１    固定紐
７    クレードル
７１    固定部
７２    可動ツメ
７３    受け部
７４    収納穴
【図１】
2007311980.tif 000003
【図２】
2007311980.tif 000004
【図３】
2007311980.tif 000005
【図４】
2007311980.tif 000006
【図５】
2007311980.tif 000007
【図６】
2007311980.tif 000008
【図７】
2007311980.tif 000009
【図８】
2007311980.tif 000010
【図９】
2007311980.tif 000011
【図１０】
2007311980.tif 000012
【図１１】
2007311980.tif 000013